(57)【要約】【課題】ノズルは、人体局部洗浄時に汚物が付着して汚れたり、人体局部の洗浄を行わない時にノズルがケーシング内に収納された状態でもケーシング内に侵入した汚物や雑菌がノズルに付着してしまう問題があり不快であった。【解決手段】人体局部へ洗浄水を吐水するための吐水孔を備えたノズルと、前記ノズルを収納位置と洗浄水を吐水する洗浄位置との間で進退動作させるノズル駆動手段と、前記ノズルの収納部にあって前記ノズルの外周に吐水するノズル洗浄孔を備えたノズル洗浄手段と、前記ノズル洗浄手段への給水を制御する給水制御手段とを備えた衛生洗浄装置において、前記ノズルが伸出状態において、前記給水制御手段を給水状態にしてノズル洗浄する。【選択図】　図１
2004116151.tif 000002
【特許請求の範囲】
【請求項１】
人体局部へ洗浄水を吐水するための吐水孔を備えたノズルと、
前記ノズルを収納位置と洗浄水を吐水する洗浄位置との間で進退動作させるノズル駆動手段と、前記ノズルの収納部にあって前記ノズルの外周に吐水するノズル洗浄孔を備えたノズル洗浄手段と、前記ノズル洗浄手段への給水を制御する給水制御手段とを備えた衛生洗浄装置において、前記ノズルが伸出状態において、前記給水制御手段を給水状態にしてノズル洗浄することを特徴とする衛生洗浄装置。
【請求項２】
請求項１記載の衛生洗浄装置において、前記ノズルを進退動作にて洗浄位置と収納位置との間、ノズル駆動を繰り返すことを特徴とする衛生洗浄装置。
【請求項３】
請求項１記載の衛生洗浄装置において、ノズル洗浄手段への洗浄水の温度を設定する温度設定手段と、洗浄水を加熱する加熱手段とを備えるとともに、前記ノズル洗浄手段に設定された温度の温水でノズル洗浄を行なうことを特徴とする衛生洗浄装置。
【発明の詳細な説明】
【０００１】
【発明の属する技術分野】
本発明は、人体局部の洗浄機能を備えた衛生洗浄装置に係り、特にノズルの掃除機能を備えた衛生洗浄装置に関する。
【０００２】
【従来の技術】
従来、洋式便器の便鉢に、モータの駆動により進退するノズルを備え、人体局部洗浄時にノズルを伸出位置まで移動して吐水口から温水を噴出させてお尻洗浄やビデ洗浄等を行なう衛生洗浄装置が知られている。
【０００３】
ところがノズルは、人体局部洗浄時に汚物が付着して汚れたり、人体局部の洗浄を行わない時にノズルがケーシング内に収納された状態でもケーシング内に侵入した汚物や雑菌がノズルに付着してしまう問題があり不快であった。
【０００４】
この問題を解決するために、使用者が特定の操作スイッチ（一般に、ノズル掃除スイッチが該当する）を押すと、ノズルへの洗浄水の供給を停止させた上でノズルを伸出させる装置が考案されている。（例えば、特許文献１参照。）。かかる技術を用いれば、使用者がノズル掃除スイッチを押すと、洗浄水を吐水しない状態でノズルが伸出するので、使用者はノズルをトイレ掃除ブラシや紙を使用してノズルを掃除すればよい。そして、ノズルの掃除が終了し使用者がノズル掃除スイッチを再度押すと、ノズルをケーシング内に収納する。
【０００５】
また、ノズル掃除を開始する前にノズルに洗浄水を一定時間かけたり、ノズル掃除の洗浄を終了後にノズルに洗浄水をかける装置やノズルが考案されている。（例えば、特許文献２参照。）かかる技術を用いれば、ノズル掃除において吐水口に付着した汚物が予め流れ落とされるから、トイレ掃除ブラシによるノズル掃除中に汚物がノズル吐水口へ侵入することを防止でき、また、吐水口に付着した汚れは浮いて落ちやすい状態になるため、トイレ掃除ブラシによるノズル掃除の際に容易に落とすことができる。
【特許文献１】
特開平４−２０９２２０号公報（第３−４頁、第５図）
【特許文献１】
特開平９−４０１９号公報（第７−１０頁、第７、８、９図）
【０００６】
【発明が解決しようとする課題】
しかしながら従来の技術では、ノズルをより快適にするために、使用者がノズル掃除スイッチを押しノズルを伸出させたとしても、ノズルに付着する汚物を取り除く作業は使用者自ら行わなければならならないという煩わしさがあった。そして、使用者がノズルをトイレ洗浄ブラシやトイレットペーパで掃除してノズルに付着した汚れをこすり落としても、同時にノズルに水をかけなければ汚れが流れ落ちないため不快であった。また、人体局部の洗浄を開始する前にノズルを洗浄する時間が固定されており、使用者が更なる快適さを求めて洗浄時間を長くしたいと所望しても行うことができなかった。
【０００７】
本発明は、従来技術における上述の課題を解決するためになされたものであり、使用者の手を煩わせることなくかつ、より快適で優れたノズル掃除機能を備えた衛生洗浄を提供することを目的とする。
【０００８】
【課題を解決するための手段】
上記問題を解決するため、請求項１は、人体局部へ洗浄水を吐水するための吐水孔を備えたノズルと、前記ノズルを収納位置と洗浄水を吐水する洗浄位置との間で進退動作させるノズル駆動手段と、前記ノズルの収納部にあって前記ノズルの外周に吐水するノズル洗浄孔を備えたノズル洗浄手段と、前記ノズル洗浄手段への給水を制御する給水制御手段とを備えた衛生洗浄装置において、前記ノズルが伸出状態において、前記給水制御手段を給水状態にしてノズル洗浄することとした。これにより、ノズルが伸出した状態で洗浄水をノズルにかけるため、使用者がトイレ洗浄ブラシでノズルを掃除する場合にトイレ洗浄ブラシによりこすり落とた汚れをそのまま洗浄水により洗い流すことができるので、より快適になる。また、使用者がトイレ洗浄ブラシでノズルを掃除しながらホースなどにより水をかける煩わしさがなくなる。
【０００９】
また、請求項２は、請求項１記載の衛生洗浄装置において、前記ノズルを進退動作にて洗浄位置と収納位置との間、ノズル駆動を繰り返すこととした。これにより、ノズルが快適になるまですきなだけ洗浄水を吐水しノズルを洗浄することができるので、ノズルを伸出させてノズルをトイレ洗浄ブラシやトイレットぺーパで拭く煩わしさがなくなり、使用者が人体局部のへの洗浄を行う前に行えば、汚物や雑菌を十分に落とした後に、人体局部への洗浄を行うことができるようになり、快適である。更に、ノズルの全体にくまなく洗浄水をあてることができるようになるので、ノズル全体をより快適にすることできる。
【００１０】
また、請求項３は、請求項１記載の衛生洗浄装置において、ノズル洗浄手段への洗浄水の温度を設定する温度設定手段と、洗浄水を加熱する加熱手段とを備えるとともに、前記ノズル洗浄手段に設定された温度の温水でノズル洗浄を行なうこととした。これにより、ノズルを高温の洗浄水で洗浄すれば大便の脂肪酸成分汚れが溶解され落ちやすくなるとともに、８０℃で１０〜１５秒間洗えば大腸菌群を殺菌させることができるので快適である。
【００１１】
【発明の実施の形態】
本発明の内容をより理解しやすくするため、以下に実施例を用いて詳説する。
【００１２】
【実施例】
本発明の一実施形態に係わる衛生洗浄装置のブロック構成図を図１に、本発明の一実施形態に係わる衛生洗浄装置の斜視図を図２に、本発明の一実施形態に係わる衛生洗浄装置のリモコン正面図を図３に、本発明の一実施形態に係わる衛生洗浄装置のノズルの図を図４に示す。ここで図１は、本発明の一実施形態に係わる衛生洗浄装置のブロック構成図である。図１において、洗浄水を供給する給水配管１１には、上流側から順に、定流量弁１２、電磁弁１３、熱交換器１４が接続されている。熱交換器１４の出口部には、バキュームブレーカ１５が接続されている。バキュームブレーカ１５の下流は二方に分岐し、一方は余剰の水を便器内に直接捨てるための捨水配管１６へ、他方は脈動発生装置１７へ接続されている。脈動発生装置１７の下流には、流路切替兼流量調整弁１８が接続されている。流路切替兼流量調整弁１８の下流は二方に分岐し、一方はノズル装置２１に設けられたノズル洗浄孔からノズルに吐水するノズル洗浄流路１９へ、他方は流路切替弁２０へ接続されている。なおこの例では、流路切替弁２０はノズル装置２１内に一体的に構成されている。　また、熱交換器１４内には温水ヒータ２２が、また熱交換器１４の入水部と出水部には、それぞれ冷水サーミスタ２３及び温水サーミスタ２４が設けてある。また、ノズル洗浄流路１９の吐水先は、ノズル装置２１の胴体を洗浄できる位置にしている。また、ノズル装置２１には、おしり流路２５、やわらか流路２６、ビデ流路２７の３つの流路が構成されている。なお上記各部の制御は、制御器２８によって行われ、制御器２８には温度設定装置３２より洗浄水の設定温度が指示される。本実施例では、脈動発生装置１７の上流にアキュームレータ２９を、熱交換器１４内にはフロートスイッチ３０を、また、脈動発生装置１７には温度ヒューズ３１を設けてある。アキュームレータ２９は、脈動発生装置１７で発生した脈動が上流へ伝播するのを防ぐためのものであり、フロートスイッチ３０は、所定の水位を検知していない時には、温水ヒータ２２への通電を行わないようにすることで空焚きを防ぐためのものであり、また、温度ヒューズ３１は、脈動発生装置１７の異常温度上昇時に駆動を停止し、安全を図るためのものである。上記の構成により、電磁弁１３の開動作により給水配管１１から供給された洗浄水は、熱交換器１４により適温の湯に加熱され、バキュームブレーカ１５を押し上げ、脈動発生装置１７により脈動を付与され、流路切替兼流量調整弁１８へと至る。ここで洗浄水は、流路切替兼流量調整弁１８により流量制限され、流路切替弁２０へと至り、流路切替弁２０により選択された流路を通り、ノズル装置２１から噴出されるのである。
【００１３】
図２は、本発明の一実施形態に係わる衛生洗浄装置の斜視図である。図２において、衛生洗浄装置５０には、使用者が局部洗浄するために座る便座５２と、未使用時に便座５２に蓋をする便蓋５１があり、衛生洗浄装置を制御する制御器２８を備えた衛生洗浄装置の本体制御基板５３が衛生洗浄装置５０の後方の樹脂カバー内ある。また、衛生洗浄装置５０の側面に操作スイッチ５４ａ〜５４ｃがあり、それぞれ、運転スイッチ５４ａ、おしり洗浄スイッチ５４ｂ、ビデ洗浄スイッチ５４ｃを配している。また、衛生洗浄装置５０の前面に衛生洗浄装置５０の動作状態を表示する表示ＬＥＤ５５があり、衛生洗浄装置５０の運転状態を運転ＬＥＤ、便座暖房ＬＥＤ、脱臭ＬＥＤにて表示している。また、受信部５６にてリモコン操作部６０より送られる操作内容を受信する。また、使用者がリモコン操作部６０のおしり洗浄スイッチ６２、やわらか洗浄スイッチ６３、ビデ洗浄スイッチ６４、またはおしり洗浄スイッチ５４ｂ、ビデ洗浄スイッチ５４ｃを操作しても便座５２に座ってなければ誤って局部洗浄吐水をしないようにするため、着座センサ５７にて赤外光の反射率を利用して便座５２に座った人体の検知をしている。また、使用者が便座５２に座り、リモコン操作部６０のおしり洗浄スイッチ６２、やわらか洗浄スイッチ６３、ビデ洗浄スイッチ６４、またはおしり洗浄スイッチ５４ｂ、ビデ洗浄スイッチ５４ｃを操作すると、ノズル装置２１内の、おしり流路２５、やわらか流路２６、ビデ流路２７を通って、ノズルヘッド５８から吐水され使用者の局部を洗浄する。
【００１４】
図３は、本発明の一実施形態に係わる衛生洗浄装置のリモコン正面図である。リモコン操作部６０には、局部への洗浄を開始させるための操作スイッチであるおしり洗浄スイッチ６２、やわらか洗浄スイッチ６３、ビデ洗浄スイッチ６４と、局部への乾燥温風の吐風を開始させるための操作スイッチである乾燥スイッチ６５と、それたの動作を停止させるための操作スイッチである止スイッチ６１がある。また、局部の洗浄中にノズルヘッド５８の伸出収納動作を繰り返して局部の広い範囲を洗浄させるための操作スイッチであるムーブスイッチ６８と、局部の洗浄中に洗浄水の水勢を増減してマッサージ感を与えるための操作スイッチであるマッサージスイッチ６９がある。また、洗浄水の温度を設定するための温水温度調整スイッチ７４と、便座５２の温度を設定するための便座温度調整スイッチ７５と、乾燥温風温度を調整するための乾燥温度調整スイッチ７６と、脱臭動作を設定するための脱臭設定スイッチ７７と、節電動作を設定するための節電設定スイッチ７０と、局部への洗浄水の水勢を設定するため水勢調整スイッチと、ノズルヘッド５８の局部洗浄伸出位置を設定するための洗浄位置調整スイッチ７３がある。また、ノズル掃除動作を開始させるための操作スイッチであるノズル掃除スイッチ７２がある。リモコン表示部６７には、これらの操作や設定の状態が表示されている。また、リモコンカバー６６は閉じることで、通常よく使用するスイッチだけを表に出してリモコンのデザインをすっきりさせるためにある。リモコンカバー６６を閉じると、止スイッチ６１、おしり洗浄スイッチ６２、やわらか洗浄スイッチ６３、ビデ洗浄スイッチ６４、乾燥スイッチ６５、リモコン表示部６７、ムーブスイッチ６８、マッサージスイッチ６９、水勢調整スイッチ７１、ノズル掃除スイッチ７２、洗浄位置調整スイッチ７３以外のスイッチが隠される。
【００１５】
図４は、本発明の一実施形態に係わる衛生洗浄装置のノズルの図である。使用者が便座５２に座り、リモコン操作部６０のおしり洗浄スイッチ６２、やわらか洗浄スイッチ６３、ビデ洗浄スイッチ６４、またはおしり洗浄スイッチ５４ｂ、ビデ洗浄スイッチ５４ｃを操作すると、ノズル装置２１内のノズルモータ８１が回転し、駆動プーリ８２と従動プーリ８０間に装着されたタイミングベルト８３が回転して、ノズル取付台８７に取付られラッチ部８５にてタイミングベルト８３に固定されたノズルヘッド５８が伸出する。そして、ノズルヘッド５８内のおしり流路２５、やわらか流路２６、ビデ流路２７のいずれかに給水するよう流路切替モータ８６により流路切替弁２０が動く。そして、電磁弁１３を開動作してノズル装置２１に洗浄水が給水されるとノズルヘッド５８先端の吐水口より局部への洗浄水が吐水される。また、ノズル洗浄流路１９を通った洗浄水はノズル洗浄室給水口８８からノズル洗浄室８４へ導かれ、ノズルヘッド５８の胴体に向けて洗浄が吐水される。使用者が、リモコン操作部６０の止スイッチ６１を操作すると、電磁弁１３を閉動作しノズル装置２１への給水を止め、ノズルモータ８１がノズルヘッド５８の伸出動作とは逆方向に回転し、ノズルヘッド５８をノズル装置２１内に収納する。
【００１６】
上記の構成において、ノズルヘッド５８がノズルである。また、ノズル駆動手段は、従動プーリ８０、ノズルモータ８１、駆動プーリ８２、タイミングベルト８３等により構成される。また、ノズル洗浄手段は、流路切替兼流量調整弁１８、ノズル洗浄流路１９、ノズル洗浄室８４等により構成される。また、給水制御手段は、電磁弁１３等により構成される。また、温度設定手段は、リモコン操作部６０の温水温度調整スイッチ７４により構成される。また、加熱手段は、熱交換器及びその周辺装置により構成される。
【００１７】
図５に、本発明の一実施形態に係わるノズル収納状態でのノズル掃除のフローチャートを示す。使用者がノズルヘッド５８を綺麗にしてから局部洗浄したいと考えたとき、リモコン操作部６０上のノズル掃除スイッチ７２を押すと（Ｓ１０１）、ノズルヘッド５８が伸出している状態であればノズルモータ８１を収納側に回転させてノズルヘッド５８を収納し（Ｓ１０３）、ノズルヘッド５８が収納状態になったら（Ｓ１０２）、流路切替弁２０をどの流路にもつながっていない閉止状態にしてノズルヘッド５８から吐水させない状態にし（Ｓ１０４）、流路切替兼流量調整弁１８を開弁しノズル洗浄流路１９へ連通させる（Ｓ１０５）。そして、温水ヒータを停止したまま電磁弁１３を開く（Ｓ１０６）。次に、タイマーＴをスタートさせ（Ｓ１０７）、Ｔ１秒が経過するまで温水ヒータ２２を停止した状態でノズルヘッド５８の外周に洗浄水を吐水する（Ｓ１０８）。これは、高温吐水する前の前洗浄である。そして、温水温度を８０℃ににしてノズルの洗浄を継続する（Ｓ１１０）。そして、使用者がノズル掃除を終わらせるため、ノズル掃除スイッチ７２を再度押す（Ｓ１１０）と、タイマを再スタートさせ（Ｓ１１１）、温水ヒータ２２を停止し（Ｓ１１２）、内部に残留した高温水が局部洗浄側に吐水されると危険であるので、温水ヒータ２２が冷めてかつ内部に残留した高温水が捨てられるまでノズル洗浄吐水を継続する（Ｓ１１３）。そして、電磁弁１３を閉じてノズル掃除を終了する（Ｓ１１４）。なお、図５ではノズル掃除スイッチ７２を再度押してノズル掃除の終了指示を出したが、ノズル掃除スイッチ以外７２の止スイッチ６１、おしり洗浄スイッチ６２、やわらか洗浄スイッチ６３、ビデ洗浄スイッチ６４、乾燥スイッチ６５を押してもノズル掃除スイッチが再度押されても同様に終了動作を行う。なお、温水温度を７０〜８０℃程度にして１０〜１５秒間洗浄すると大腸菌類を殺菌することができる。また、ノズルに付着する汚物の汚れは大便成分中の脂肪酸が付着したものであり、４０℃以上の温水温度にてノズルを洗浄すると脂肪酸が溶解し落ちやすくなる。
【００１８】
図６に、本発明の一実施形態に係わるノズル進退動作状態でのノズル掃除のフローチャートを示す。使用者がノズルヘッド５８を綺麗にしてから局部洗浄したいと考えたとき、リモコン操作部６０上のノズル掃除スイッチ７２を押すと（Ｓ２０１）、ノズルヘッド５８が伸出している状態であればノズルモータ８１を収納側に回転させてノズルヘッド５８を収納し（Ｓ２０３）、ノズルヘッド５８が収納状態になったら（Ｓ２０２）、流路切替弁２０をどの流路にもつながっていない閉止状態にしてノズルヘッド５８から吐水させない状態にし（Ｓ２０４）、流路切替兼流量調整弁１８を開弁しノズル洗浄流路１９へ連通させる（Ｓ２０５）。そして、電磁弁１３を開く（Ｓ２０６）。そして、ノズルモータ８１を動かして、ノズルヘッド５８を最大伸出側と収納側に一定周期で繰り返す（Ｓ２０７）。これにより、ノズル洗浄室でノズルに吐水される洗浄水は、ノズル全体を洗浄することになる。そして、使用者がノズル掃除を終わらせるため、ノズル掃除スイッチ７２を再度押す（Ｓ２０８）と、電磁弁１３を閉じて（Ｓ２０９）、ノズルヘッド５８を収納（Ｓ２１０）し、ノズル掃除を終了する。なお、図５ではノズル掃除スイッチ７２を再度押してノズル掃除の終了指示を出したが、ノズル掃除スイッチ以外７２の止スイッチ６１、おしり洗浄スイッチ６２、やわらか洗浄スイッチ６３、ビデ洗浄スイッチ６４、乾燥スイッチ６５を押してもノズル掃除スイッチが再度押されても同様に終了動作を行う。この場合においても、ノズル洗浄水を７０℃〜８０℃にしてノズルヘッド５８全体を洗浄してもよく、これによりノズルヘッド５８やノズル装置２１内に付着した大腸菌類類を殺菌することができる。また、ノズルに付着する汚物の汚れは大便成分中の脂肪酸が付着したものであり４０℃以上の温水温度にてノズルを洗浄してもよく、脂肪酸が溶解され汚れが落ちやすくなる。
【００１９】
図７に、本発明の一実施形態に係わるノズル伸出状態でのノズル掃除のフローチャートを示す。使用者がノズルヘッド５８を掃除したいと考えたとき、リモコン操作部６０上のノズル掃除スイッチ７２を押すと（Ｓ３０１）、ノズルヘッド５８が収納している状態であればノズルモータ８１を伸出側に回転させてノズルヘッド５８を最大伸出位置まで伸出し（Ｓ３０３）、ノズルヘッド５８が最大伸出状態になったら（Ｓ３０２）、流路切替弁２０をどの流路にもつながっていない閉止状態にしてノズルヘッド５８から吐水させない状態にし（Ｓ３０４）、流路切替兼流量調整弁１８を開弁しノズル洗浄流路１９へ連通させる（Ｓ３０５）。そして、電磁弁１３を開く（Ｓ３０６）。これにより、使用者がノズルを掃除している間、ノズル洗浄室からノズルヘッド５８外周に対して洗浄水が洗浄吐水された状態になるので、ノズル掃除をしやすくなる。そして、使用者が、ノズル掃除スイッチ７２を再度押す（Ｓ３０７）と、汚れをノズルヘッド収納部に入れさせないためにノズルヘッド５８外周全体を洗浄吐水しながら収納し（Ｓ３０８）、電磁弁１３を閉じて（Ｓ３０９）、ノズル掃除を終了する。使用者が、ノズル掃除スイッチ７２を再度押して（Ｓ３０７）、ノズルヘッド５８をノズル収納部に入れる時に、ノズル洗浄水を７０℃〜８０℃にしてノズル全体を洗浄しながら収納してもよく、これによりノズルヘッド５８やノズル装置２１内に付着した大腸菌類類を殺菌することができる。また、ノズルヘッド５８に付着する汚物の汚れは大便成分中の脂肪酸が付着したものであり、４０℃以上の温水温度にてノズルヘッド５８を洗浄してもよい。
【００２０】
以上のようなノズル掃除スイッチ操作により、ノズル外周を洗浄する作用により、ノズルヘッド５８とノズル装置２１内部の快適性を向上することができる。
【００２１】
【発明の効果】
本発明は上記構成により次の効果を発揮する。
【００２２】
請求項１では、ノズルが伸出した状態で洗浄水をノズルにかけるため、使用者がトイレ洗浄ブラシでノズルを掃除する場合にトイレ洗浄ブラシによりこすり落とた汚れをそのまま洗浄水により洗い流すことができるので、より快適になる。また、使用者がトイレ洗浄ブラシでノズルを掃除しながらホースなどにより水をかける煩わしさがなくなる。
【００２３】
請求項２では、ノズルが快適になるまですきなだけ洗浄水を吐水しノズルを洗浄することができるので、ノズルを伸出させてノズルをトイレ洗浄ブラシやトイレットぺーパで拭く煩わしさがなくなり、使用者が人体局部のへの洗浄を行う前に行えば、汚物や雑菌を十分に落とした後に、人体局部への洗浄を行うことができるようになり、快適である。更に、ノズルの全体にくまなく洗浄水をあてることができるようになるので、ノズル全体をより快適することできる。
【００２４】
請求項３では、ノズルを高温の洗浄水で洗浄すれば大便の脂肪酸成分汚れが溶解され落ちやすくなるとともに、８０℃で１０〜１５秒間洗えば大腸菌群を殺菌させることができるので快適である。
【図面の簡単な説明】
【図１】本発明の一実施形態に係わる衛生洗浄装置のブロック構成図
【図２】本発明の一実施形態に係わる衛生洗浄装置の斜視図
【図３】本発明の一実施形態に係わる衛生洗浄装置のリモコン正面図
【図４】本発明の一実施形態に係わる衛生洗浄装置のノズルの図
【図５】本発明の一実施形態に係わるノズル収納状態でのノズル掃除のフローチャート
【図６】本発明の一実施形態に係わるノズル進退動作状態でのノズル掃除のフローチャート
【図７】本発明の一実施形態に係わるノズル伸出状態でのノズル掃除のフローチャート
【符号の説明】
１１…給水配管、１２…定流量弁、１３…電磁弁、１４…熱交換器
１５…バキュームブレーカ、１６…捨水配管、１７…脈動発生装置
１８…流路切替兼流量調整弁、１９…ノズル洗浄流路、２０…流路切替弁
２１…ノズル装置、２２…温水ヒータ
２３…冷水サーミスタ、２４…温水サーミスタ
２５…おしり流路、２６…やわらか流路、２７…ビデ流路
２８…制御器、２９…アキュームレータ、３０…フロートスイッチ
３１…温度ヒューズ、３２…温度設定装置
５０…衛生洗浄装置、５１…便蓋、５２…便座、５３…本体制御基板
５４ａ…運転スイッチ、５４ｂ…おしり洗浄スイッチ
５４ｃ…ビデ洗浄スイッチ
５５…表示ＬＥＤ、５６…受信部、５７…着座センサ、５８…ノズルヘッド
６０…リモコン操作部、６１…止スイッチ、６２…おしり洗浄スイッチ
６３…やわらか洗浄スイッチ、６４…ビデ洗浄スイッチ
６５…乾燥スイッチ、６６…リモコンカバー、６７…リモコン表示部
６８…ムーブスイッチ、６９…マッサージスイッチ
７０…節電設定スイッチ、７１…水勢調整スイッチ
７２…ノズル掃除スイッチ、７３…洗浄位置調整スイッチ
７４…温水温度調整スイッチ、７５…便座温度調整スイッチ
７６…乾燥温度調整スイッチ、７７…脱臭設定スイッチ
８０…従動プーリ、８１…ノズルモータ、８２…駆動プーリ
８３…タイミングベルト、８４…ノズル洗浄室、８５…ラッチ部
８６…流路切替モータ、８７…ノズル取付台、８８…ノズル洗浄室給水口
【図１】
2004116151.tif 000003
【図２】
2004116151.tif 000004
【図３】
2004116151.tif 000005
【図４】
2004116151.tif 000006
【図５】
2004116151.tif 000007
【図６】
2004116151.tif 000008
【図７】
2004116151.tif 000009